(57)【特許請求の範囲】
【請求項１】
バヨネット機構によりレンズ鏡筒へ装着可能なアクセサリにおいて、
環状部材と、前記環状部材に結合された樹脂材料からなるバヨネット環とを有し、
前記バヨネット環には、内周面にバヨネット爪が成形され、前記バヨネット爪が成形された範囲内にクリック部が成形され、前記バヨネット爪が成形された範囲の片端にはストッパー部が成形され、
前記クリック部は、光軸に垂直な平面上において、前記バヨネット環の内周面に対して傾斜を有する片持ち梁形状であり、光軸を中心とした放射方向に向かって背面支持部が成形され、光軸に向かって段差部が成形されることを特徴とするアクセサリ。
【請求項２】
さらに内周面にねじが成形された押え環を有し、
前記環状部材は前記バヨネット環の外周面に成形されたねじと前記押え環の内周面に成形されたねじとが螺合することにより前記バヨネット環に対して結合されることを特徴とする請求項１に記載のアクセサリ。
【請求項３】
前記バヨネット環の内周面に成形された前記バヨネット爪と前記クリック部はアクセサリの使用時と収納時のために１組以上成形されており、前記バヨネット爪と前記クリック部の組の間には内周環状壁部が成形されていることを特徴とする請求項１又は請求項２に記載のアクセサリ。
【請求項４】
前記環状部材は金属材料からなることを特徴とする請求項１ないし請求項３のいずれかに記載のアクセサリ。
【請求項５】
前記環状部材は不要な光を遮光するためのフードであることを特徴とする請求項１ないし請求項４のいずれかに記載のアクセサリ。
【発明の詳細な説明】
【技術分野】
【０００１】
本発明は、レンズ鏡筒へ装着可能なアクセサリに関し、特にバヨネット機構によりレンズ鏡筒へ装着可能なアクセサリに関する。レンズ鏡筒へ装着可能なアクセサリとして、不要な光を遮光するためのフード、焦点距離を変化させるためのフロントコンバージョンレンズ、レンズキャップなどが相当する。
【背景技術】
【０００２】
従来、レンズ鏡筒へバヨネット機構によりフードなどのアクセサリを着脱する際のトルク感やクリック感を良好にするための技術が提案されている。
【０００３】
特許文献１（特開平６−１３０４６６号公報）には、フードの取り付けバヨネット機構において、レンズ鏡筒のバヨネット爪の外周におけるフードの取り付け始端部にフードの平面部を導入する導入部を設け、フードの取り付け終端部にはフードの平面部が係合する係合部を設けることにより、フードの使用時と収納時とで共通のチャージ部が設定され、どちらの時にもクリック感の感触が良好なフード取り付けバヨネット構造及びフードを構成することが開示されている。
【０００４】
特許文献２（特開２００１−０６６６６６号公報）には、レンズ鏡筒用アクセサリにおいて、アクセサリ本体と、アクセサリ本体とは別部材で成形されており、弾性変形可能なクリック部材を有し、レンズ鏡筒に対するアクセサリの着脱の際に、クリック部材は、レンズ鏡筒のバヨネット爪の外周部に対して弾性変形しながら摺動するとともに、バヨネット爪の周方向端部に成形された斜面部との当接によって、斜面部以外の領域での弾性変形量よりも少ない量で弾性変形することにより、アクセサリの着脱部を２体化することで、着脱の際のトルク感、クリック感といった操作感の向上を簡易な構成で可能となる構成が開示されている。
【０００５】
特許文献３（特開平７−１５９８５８号公報）には、バヨネット構造を有するフード取付け装置において、レンズ鏡筒およびフードの少なくともどちらか一方に光軸方向に付勢する付勢部材を設け、レンズ鏡筒およびフードの少なくともどちらか一方に光軸方向の突部を設け、他方に突部が第１および第２のバヨネット爪が重合する位置で係合する光軸方向の窪み部を設けることにより、フード装着時にレンズ鏡筒に対しフードが固定され、且つ取りはずし操作が容易であるフード取付け装置が開示されている。
【先行技術文献】
【特許文献】
【０００６】
【特許文献１】特開平６−１３０４６６号公報
【特許文献２】特開２００１−０６６６６６号公報
【特許文献３】特開平７−１５９８５８号公報
【発明の概要】
【発明が解決しようとする課題】
【０００７】
先行技術文献に開示された従来技術には次の課題がある。
【０００８】
特許文献１に開示されたフード取り付けバヨネット構造及びフードでは、フードの装着時のトルク感をフード本体の弾性変形により発生させるものとしているため、適度なトルク感の発生とフード本体の強度の維持向上を両立させることは容易ではない。
【０００９】
特許文献２に開示されたレンズ鏡筒用アクセサリでは、アクセサリ本体とは別に弾性変形可能なクリック部材を設けるため、レンズ鏡筒用アクセサリの機構が複雑化し、簡便な組立性が損なわれている。また、クリック部材のトルク発生部は、レンズ鏡筒用アクセサリの着脱時にトルク感を良好にすることとしているが、クリック感を良好に改善するためには寄与していない。
【００１０】
特許文献３に開示されたバヨネット構造を有するフード取付け装置では、レンズ鏡筒およびフードの少なくともどちらか一方に光軸方向の突部を設け、他方に突部が係合する光軸方向の窪み部を設けているため、窪み部に係合した突部を解除するための機構や操作が必要となってしまう。また、突部と窪み部の係合を光軸方向で行う機構としているため、フードのバヨネット爪が外部にむき出しの片持ち梁形状となっており、フード着脱の操作によっては簡単に破損してしまうような不安のある機構となっている。
【００１１】
ところで、レンズ鏡筒へバヨネット機構により装着するフードなどのアクセサリについて、着脱の際のトルク感やクリック感を良好にするという課題に加え、特に外観部材に金属材料を採用することが要望されている。
【００１２】
このようなアクセサリに金属材料を採用することで、強度や質感の向上が見込まれる。アクセサリが装着されるレンズ鏡筒については、より高い強度や質感を求められる製品モデルほど金属材料を多用した部材により構成されている。
【００１３】
これに対して、アクセサリについては、材料にエンジニアリングプラスチック等の樹脂材料を採用することでアクセサリの機能に求められる強度は充分確保される場合が多い。
【００１４】
その一方で、金属材料を主として構成されたレンズ鏡筒に装着するアクセサリにおいては、レンズ鏡筒に対する装着時の一体的な質感やデザイン性を追求するために、金属材料を採用することが望まれる場合がある。
【００１５】
しかしながら、金属材料を採用したアクセサリをバヨネット機構によりレンズ鏡筒へ装着するには次のような課題がある。
【００１６】
第１に、アクセサリの微小で複雑なクリック機構を金属材料から加工することは困難であるという課題がある。金属材料は切削加工などにより目的の形状に加工されるが、射出成形などにより加工される樹脂材料と比較して、光学機器に用いられるアクセサリの微小で複雑なクリック機構を金属材料の切削加工などにより加工することは容易ではない。さらに、レンズ鏡筒へ装着するアクセサリはレンズ鏡筒と同様に全体として円環状の形状であるため、こうした形状にさらにクリック機構を金属材料の切削加工などにより加工することは困難である。
【００１７】
第２に、弾性変形の少ない金属材料によりクリック機構を構成することは困難であるという課題がある。金属材料は樹脂材料と比較して弾性率が高いため、弾性変形の少ない金属材料によりクリック機構を構成する場合には、強度を維持したまま目標のトルク感やクリック感を得るようにすることが困難となる。
【００１８】
第３に、アクセサリとレンズ鏡筒の双方が金属材料からなる場合、これらをバヨネット機構により装着すると互いに傷つきやすいという課題がある。バヨネット機構は、装着するもの同士を互いのバヨネット爪が重なりあうように相対的に回転させて装着するが、これらの双方が金属材料からなる場合には相対的な回転の際の摺動により傷つきやすくなってしまう。
【００１９】
そこで、外観部材に金属材料を採用するアクセサリにおいても、クリック機構は樹脂材料で構成する必要がある。
【００２０】
本発明は、着脱時のトルク感やクリック感が良好であり、外観部材に金属材料を採用することが可能である、レンズ鏡筒にバヨネット機構により装着可能なアクセサリを提供することを目的とする。
【課題を解決するための手段】
【００２１】
上記の課題を解決するために、本発明は、バヨネット機構によりレンズ鏡筒へ装着可能なアクセサリにおいて、環状部材と、前記環状部材に結合された樹脂材料からなるバヨネット環とを有し、前記バヨネット環には、内周面にバヨネット爪が成形され、前記バヨネット爪が成形された範囲にクリック部が成形され、前記バヨネット爪が成形された範囲の片端にはストッパー部が成形され、前記クリック部は、光軸に垂直な平面上において、前記バヨネット環の内周面に対して傾斜を有する片持ち梁形状であり、光軸を中心とした放射方向に向かって背面支持部が成形され、光軸に向かって段差部が成形されることを特徴とする。
【発明の効果】
【００２２】
本発明によれば、着脱時のトルク感やクリック感が良好であり、外観部材に金属材料を採用することが可能である、レンズ鏡筒にバヨネット機構により装着可能なアクセサリを提供することができる。
【図面の簡単な説明】
【００２３】
【図１】フードのレンズ鏡筒への装着の様子を示す斜視図
【図２】フード使用時にフードをレンズ鏡筒へ装着した断面図
【図３】フード収納時にフードをレンズ鏡筒へ装着した断面図
【図４】フードの斜視図
【図５】フードの分解斜視図
【図６】フードの拡大断面図
【図７】フードバヨネット環におけるクリック部が成形された部分の拡大断面図
【図８（ａ）】フード挿入時の断面図
【図８（ｂ）】フード回転時の断面図
【図８（ｃ）】フード装着時の断面図
【発明を実施するための形態】
【００２４】
以下、本発明のレンズ鏡筒へ装着可能なアクセサリの一実施例である不要な光を遮光するフードについて図面を用いて説明する。
【００２５】
図１は本実施例のフードのレンズ鏡筒への装着の様子を示す斜視図であり、図２はフード使用時にフードをレンズ鏡筒へ装着した断面図であり、図３はフード収納時にフードをレンズ鏡筒へ装着した断面図である。なお、図２及び図３においては、レンズ鏡筒の詳細な構造を省略して図示している。
【００２６】
図１において、１００はフード、１０２ａはフード使用時バヨネット爪、１０２ｃはフード内側環状壁部、２００はレンズ鏡筒、２０１はレンズ鏡筒バヨネット環、２０１ａはレンズ鏡筒バヨネット爪を示している。
【００２７】
フード使用時バヨネット爪１０２ａ及びレンズ鏡筒バヨネット爪２０１ａの組は光軸を中心として点対称に２組配置されている。
【００２８】
フード１００は、フード環とフードバヨネット環と押え環とが一体となって構成されているが、これについては後述する。
【００２９】
フード１００がレンズ鏡筒２００へバヨネット機構により装着される様子について説明する。
【００３０】
まず、フード１００を、フード１００及びレンズ鏡筒２００の光軸方向に沿って、フード使用時バヨネット爪１０２ａとレンズ鏡筒バヨネット爪２０１ａとが光軸を中心とした円周方向で重なり合わないように、レンズ鏡筒バヨネット環２０１の外周に挿入する。その際、レンズ鏡筒バヨネット爪２０１ａのフード１００側の面がフード内側環状壁部１０２ｃに当接し、フード１００の光軸方向への移動が規制されることで、フード１００のレンズ鏡筒バヨネット環２０１の外周への挿入が完了する。
【００３１】
その後、フード１００のレンズ鏡筒バヨネット環２０１の外周への挿入が完了した状態で、フード１００を光軸を中心にフード使用時バヨネット爪１０２ａとレンズ鏡筒バヨネット爪２０１ａが重なり合うまで回転させることで、フード１００のレンズ鏡筒２００への装着が完了する。
【００３２】
本実施例において、フード１００は、レンズ鏡筒２００対して、使用時と収納時とで光軸方向に沿って逆向きに装着することが可能である。
【００３３】
図２は、フード使用時において、フード１００がレンズ鏡筒２００へ装着された状態の断面図を示している。図２のフード使用時において、フード１００のフード使用時バヨネット爪１０２ａがレンズ鏡筒２００のレンズ鏡筒バヨネット爪２０１ａと結合することで、フード１００がレンズ鏡筒２００に装着される。
【００３４】
図３は、フード収納時において、フード１００がレンズ鏡筒２００へ装着された状態の断面図を示している。図３のフード収納時において、フード１００のフード収納時バヨネット爪１０２ｂがレンズ鏡筒２００のレンズ鏡筒バヨネット爪２０１ａと結合することで、フード１００がレンズ鏡筒２００に装着される。図３に示すように、フード収納時には、フード１００のレンズ鏡筒２００からの張り出しがなくなるため、フード１００及びレンズ鏡筒２００全体として携帯性や収納性が良くなり、フード１００の紛失も防止することができる。
【００３５】
フード使用時及びフード収納時において、フード１００のバヨネット爪であるフード使用時バヨネット爪１０２ａとフード収納時バヨネット爪１０２ｂとが使い分けられるが、レンズ鏡筒２００のレンズ鏡筒バヨネット爪２０１ａはいずれの状態においても共通して使用される。
【００３６】
図４は、フード１００の斜視図を示しており、図５は、フード１００の分解斜視図を示している。
【００３７】
なお、図５の斜視図は、フード１００の内周面の形状を確認しやすくするため、フード１００を光軸を含む光軸に平行な平面で半分にカットした状態で表されている。
【００３８】
図４において、フード１００の内周面には、フードバヨネット環１０２に、フード使用時バヨネット爪１０２ａと、フード収納時バヨネット爪１０２ｂと、フード内側環状壁部１０２ｃが成形されている。また、これらフード１００のバヨネット機構に関する形状に加えて、フードバヨネット環１０２には、クリック機構に関する形状が成形されている。
【００３９】
図４において、１０２ｇはクリック部、１０２ｈはストッパー部を示している。
【００４０】
フード１００のクリック部１０２ｇは、フード１００のバヨネット機構によるレンズ鏡筒２００への着脱の際に、トルク感とクリック感を操作者へ与えるための機構であり、フード１００の装着時において、フード１００がレンズ鏡筒２００から容易に脱落しないようにするためのストッパーとしての機構でもある。また、フード１００のクリック部１０２ｇは背面支持部１０２ｇａ（不図示）でフード環１０１の内周面に接触して支持されている。
【００４１】
フード１００のクリック機構の詳細と着脱の際の動作については後述する。
【００４２】
図５において、１０１はフード環、１０２はフードバヨネット環、１０３は押え環を示している。
【００４３】
フード１００は図５に示すように複数の部品から構成されており、特に本実施例において、フードバヨネット環１０２は樹脂材料からなり、フード環１０１は金属材料からなる。フードバヨネット環１０２はバヨネット機構やクリック機構に関する形状が成形される部品であり弾性変形が要求されるため樹脂材料からなる。また、フードバヨネット環１０２を樹脂材料からなることとすることにより、レンズ鏡筒２００のレンズ鏡筒バヨネット環２０１が金属材料からなる場合においても、フード１００をレンズ鏡筒２００に装着する際にフードバヨネット環１０２の回転によりこれと摺動するレンズ鏡筒バヨネット環２０１が傷つけてられてしまうおそれを低くすることができる。フード環１０１は、フード１００の外観部材の大部分を占める部品であり、高い強度や質感が要求されるため金属材料からなる。
【００４４】
フード１００の上記の構成について説明する。
【００４５】
フード環１０１が、フードバヨネット環１０２に対して、押え環１０３により結合されることにより、フード１００として一体的な構成となっている。
【００４６】
図６は、フード１００の拡大断面図を示している。図６は、図５と同様に、光軸を含む光軸に平行な平面による断面を示す図である。
【００４７】
図５及び図６に示すように、フード環１０１はフードバヨネット環１０２の外側にフランジ部１０２ｅに当接部１０１ｃが当接するように挿入される。フード環１０１がフードバヨネット環１０２の外側に挿入される際には、フード環１０１に成形された回転止め切り欠き１０１ｄ（不図示）がフードバヨネット環１０２に成形された回転止め凸部１０２ｆ（不図示）に合うように挿入される。これにより、フードバヨネット環１０２に対するフード環１０１の位置決めや回転止めがなされる。
【００４８】
さらに、押え環１０３はフードバヨネット環１０２の外側にフード環１０１のフランジ部１０１ｂに当接部１０３ｂが当接するように挿入される。その際に、フードバヨネット環１０２の外周面に成形された螺合部１０２ｄと、押え環１０３の内周面に成形された螺合部１０３ａとが螺合することにより、フードバヨネット環１０２に対してフード環１０１が結合される。本実施例では、治具を用いて押え環１０３の平面部１０３ｃに摩擦力を加えることにより、押え環１０３を光軸を中心に回転させてフードバヨネット環１０２に螺合させる。
【００４９】
図７は、フードバヨネット環１０２において、クリック部１０２ｇが成形された部分を拡大した断面図を示している。図７は、フードバヨネット環１０２のクリック部１０２ｇを含む光軸に垂直な平面による断面図である。
【００５０】
図７において、１０２ｇはクリック部、１０２ｇａは背面支持部、１０２ｇｂは段差部、１０２ｇｃは斜面チャージ部、１０２ｈはストッパー部を示している。クリック部１０２ｇは、フードバヨネット環１０２の内周面に対して傾斜を有するように張り出した片持ち梁形状をしている。
【００５１】
図８（ａ）から図８（ｃ）を用いて、フード１００のフードバヨネット環１０２をレンズ鏡筒２００のレンズ鏡筒バヨネット環２０１の外周に挿入した後、操作者がフード１００を光軸を中心に時計回りに回転させてレンズ鏡筒２００に装着する動作について説明する。図８（ａ）から図８（ｃ）は、フード使用時における、レンズ鏡筒２００の物体側から見た、フード１００とレンズ鏡筒２００のクリック部１０２ｇを含む光軸に垂直な平面による断面図である。なお、図８（ａ）から図８（ｃ）において、レンズ鏡筒２００の詳細な機構は省略している。
【００５２】
図８（ａ）は、フード１００が、フード１００及びレンズ鏡筒２００の光軸方向に沿って、フード使用時バヨネット爪１０２ａとレンズ鏡筒バヨネット爪２０１ａとが光軸を中心とした円周方向で重なり合わないように、レンズ鏡筒バヨネット環２０１の外周に挿入された状態の断面図を示している。
【００５３】
図８（ａ）では、フード使用時バヨネット爪１０２ａは不図示となっており、クリック部１０２ｇはフードバヨネット環１０２の内周面に対して傾斜を有する片持ち梁形状ではあるが、フード使用時バヨネット爪１０２ａが成形された範囲にクリック部１０２ｇが成形されているため、フード１００のレンズ鏡筒２００に対する挿入時にレンズ鏡筒バヨネット爪２０１ａがクリック部１０２ｇと干渉してしまうことはない。
【００５４】
次に、図８（ｂ）に、図８（ａ）の状態から、フード１００を光軸を中心に時計回りに回転させている状態を示す。
【００５５】
図８（ｂ）において、フード１００を光軸を中心に時計回りに回転させると、フード１００のクリック部１０２ｇとストッパー部１０２ｈが、光軸を中心とする円周方向においてレンズ鏡筒２００のレンズ鏡筒バヨネット爪２０１ａに近づいていく。
【００５６】
さらに、フード１００を回転させると、フード１００のクリック部１０２ｇの斜面チャージ部１０２ｇｃにレンズ鏡筒バヨネット爪２０１ａの始端部２０１ａｓが接触し、レンズ鏡筒バヨネット爪２０１ａがフード１００のクリック部１０２ｇに乗り上げるようになる。実際には、フード１００のクリック部１０２ｇはフードバヨネット環１０２の内周面に対して傾斜を有し、背面支持部１０２ｇａがフード環１０１の内周面に接触して支持されており、弾性変形する樹脂材料からなるため、レンズ鏡筒バヨネット爪２０１ａに対して弾性力を与えることとなる。
【００５７】
このレンズ鏡筒バヨネット爪２０１ａに対するフード１００のクリック部１０２ｇからの弾性力は、フード１００を回転させる操作者にトルク感を与えることとなり、操作者がフード１００のレンズ鏡筒２００への着脱動作を直感的に捉えることが可能となる。
【００５８】
図８（ｃ）は、フード１００を光軸を中心に時計回りに回転させて完全にレンズ鏡筒２００へ装着した状態を示している。
【００５９】
フード１００をレンズ鏡筒２００へ完全に装着すると、フードバヨネット環１０２のフード使用時バヨネット爪１０２ａ（不図示）の片端に成形されたストッパー部１０２ｈにレンズ鏡筒バヨネット環２０１のレンズ鏡筒バヨネット爪２０１ａの始端部２０１ａｓが当たることにより、これ以上のフード１００の光軸を中心とする回転が規制され、同時にレンズ鏡筒バヨネット環２０１のレンズ鏡筒バヨネット爪２０１ａの終端部２０１ａｅがフードバヨネット環１０２のクリック部１０２ｇの段差部１０２ｇｂに嵌まることによりフード１００がレンズ鏡筒２００から容易に脱落しないようになる。レンズ鏡筒２００に対してフード１００の装着が完了する直前において、レンズ鏡筒バヨネット爪２０１ａの始端部２０１ａｓと反対側の終端部２０１ａｅに、クリック部１０２ｇの段差部１０２ｇｂが弾性力により急激に落ちる。
【００６０】
その際、同時に、操作者がフード１００を光軸を中心に時計回りに回転させる回転力とは別に、フード１００のフードバヨネット環１０２には、レンズ鏡筒バヨネット爪２０１ａの終端部２０１ａｅを基礎としてクリック部１０２ｇの段差部１０２ｇａが操作者による回転力と同じ時計回りに急激に押し出される加速力が追加される。これにともなって、レンズ鏡筒バヨネット爪２０１ａの始端部２０１ａｓにフードバヨネット環１０２のストッパー部１０２ｈが急に衝突することでクリック感が発生し、操作者がレンズ鏡筒２００に対してフード１００を完全に装着したことを直感的に捉えることが可能となる。
【００６１】
フード１００をレンズ鏡筒２００から外す際には、図８（ｃ）のフード装着時の状態において、上記のフード１００の装着とは逆の手順で、フード１００をまず光軸を中心に反時計回りに回転させてレンズ鏡筒バヨネット環２０１から抜くこととなる。クリック部１０２ｇの段差部１０２ｇｂにはレンズ鏡筒バヨネット爪２０１ａの終端部２０１ａｅが嵌っているが、それぞれの接触面の形状を光軸を中心とした放射方向に対して傾斜を持たせるようにすることでフード１００を外す際の回転の操作力を適切に設定することが可能となる。
【００６２】
本発明に係るレンズ鏡筒へ装着可能なアクセサリは、本実施例の不要な光を遮光するためのフードに限らない。本発明は、レンズキャップ、フィルタ、フロントコンバージョンレンズ、クローズアップレンズなどの、レンズ鏡筒へ装着可能なアクセサリにも適用可能である。
【００６３】
本実施例において、フードのフードバヨネット環やレンズ鏡筒のレンズ鏡筒バヨネット環は金属材料からなるとして説明したが、これらは樹脂材料からなるとしても本発明の目的とするトルク感やクリック感を得ることは可能である。
【００６４】
本発明において、フード環をフードバヨネット環に対して結合する際に、押え環などの別部材を用いずにビスや接着剤などにより直接固定することとしてもよい。
【００６５】
本発明によれば、着脱時のトルク感やクリック感が良好であり、外観部材に金属材料を採用することが可能である、レンズ鏡筒にバヨネット機構により装着可能なアクセサリを提供することができる。
【符号の説明】
【００６６】
１００  フード
１０１  フード環
１０１ａ  遮光部
１０１ｂ  フランジ部
１０１ｃ  当接部
１０１ｄ  回転止め切り欠き
１０２  フードバヨネット環
１０２ａ  フード使用時バヨネット爪
１０２ｂ  フード収納時バヨネット爪
１０２ｃ  フード内側環状壁部
１０２ｄ  螺合部
１０２ｅ  フランジ部
１０２ｆ  回転止め凸部
１０２ｇ  クリック部
１０２ｇａ  背面支持部
１０２ｇｂ  段差部
１０２ｇｃ  斜面チャージ部
１０２ｈ  ストッパー部
１０３  押え環
１０３ａ  螺合部
１０３ｂ  当接部
１０３ｃ  平面部
２００  レンズ鏡筒
２０１  レンズ鏡筒バヨネット環
２０１ａ  レンズ鏡筒バヨネット爪
２０１ａｓ  始端部
２０１ａｅ  終端部
【図１】
0006701998.tif 000002
【図２】
0006701998.tif 000003
【図３】
0006701998.tif 000004
【図４】
0006701998.tif 000005
【図５】
0006701998.tif 000006
【図６】
0006701998.tif 000007
【図７】
0006701998.tif 000008
【図８（ａ）】
0006701998.tif 000009
【図８（ｂ）】
0006701998.tif 000010
【図８（ｃ）】
0006701998.tif 000011